(57)【特許請求の範囲】
【請求項１】
主逆流防止器、及び予備用逆流防止器を備え、吸込み口に流入した水を前記主逆流防止器又は前記予備用逆流防止器を経てポンプに導き、該ポンプで加圧し、吐出し口から給水目的位置に給水可能に構成された給水装置であって、
前記予備用逆流防止器の吸込み口側には１次側仕切り弁が、吐出し口側には２次側仕切り弁がそれぞれ設けられており、前記予備用逆流防止器の本体と前記２次側仕切り弁の間の所定の位置に前記予備用逆流防止器内に滞留する水を排水する排水口と該排水口を開閉する排水口開閉手段を設けたことを特徴とする給水装置。
【請求項２】
請求項１に記載の給水装置において、
前記排水口は、前記２次側仕切り弁の吸込み口側の底部に設けたことを特徴とする給水装置。
【請求項３】
請求項１又は２に記載の給水装置において、
前記排水口開閉手段は電磁弁又は電動弁であり、制御盤から操作できるようになっていることを特徴とする給水装置。
【請求項４】
請求項１乃至３のいずれか１項に記載の給水装置の予備用逆流防止器内洗浄方法であって、
前記排水口開閉手段で前記排水口を開放し、前記予備用逆流防止器の２次側仕切り弁を閉じた状態で、１次側仕切り弁を開いて該予備用逆流防止器に通水して洗浄することを特徴とする給水装置の予備用逆流防止器内洗浄方法。
【請求項５】
吸込み口側には１次側仕切り弁が、吐出し口側には２次側仕切り弁をそれぞれ設けた主逆流防止器、及び予備用逆流防止器を備え、吸込み口に流入した水を前記主逆流防止器又は前記予備用逆流防止器を経てポンプに導き、該ポンプで加圧し、吐出し口から給水目的位置に給水可能に構成された給水装置の主逆流防止器と予備用逆流防止器を切替える逆流防止器切替え方法であって、
前記予備用逆流防止器に滞留する水を排水する排水口を開放し、前記予備用逆流防止器の２次側仕切り弁を閉じた状態で、１次側仕切り弁を開いて該予備用逆流防止器に通水して内部を洗浄してから、前記予備用逆流防止器の２次側仕切り弁を開く操作を行った後、前記主逆流防止器の１次側仕切り弁及び２次側仕切り弁を閉じることを特徴とする給水装置の逆流防止器切替え方法。
【発明の詳細な説明】
【技術分野】
【０００１】
本発明は、主逆流防止器及び予備用逆流防止器を備え、水道本管に直結して使用する給水装置、予備用逆流防止器内洗浄方法、逆流防止器切替え方法に関するものである。
【背景技術】
【０００２】
上記給水装置は、水道本管に接続され、水道本管からの水をポンプで所定の水圧に加圧して集合住宅やビル等の末端の需要場所に給水している。このような給水装置では、給水装置の下流側（需要側）に毒物等の汚染物が侵入し、該汚染物が水道本管に流入するのを防止するため逆流防止器を備えている。このような逆流防止器を備えた給水装置では、逆流防止器が正常に動作するかを定期的（１年に１回）に点検することを法規で義務付けられている。
【０００３】
上記逆流防止器の定期点検に際しては、逆流防止器の吸込み側（流入側）に設けた１次側仕切り弁と吐出側（流出側）に設けた２次側仕切り弁を閉じて点検作業を行う必要があり、点検作業中需要場所に給水できないという問題がある。そこでこの逆流防止器を主逆流防止器とし、この主逆流防止器より小型若しくは主逆流防止器と同径の予備用逆流防止器を並列に設置し、主逆流防止器の点検時は点検作業が完了するまで、予備用逆流防止器に切替えて使用して需要場所に給水している。
【特許文献１】特開２００５−５７９３４号公報
【発明の開示】
【発明が解決しようとする課題】
【０００４】
上記のように主逆流防止器と予備用逆流防止器を並列に設置した構成の給水装置において、主逆流防止器の定期点検が１年に１回というように、定期点検と定期点検の間の間隔が長く、その間長期間に亘って予備用逆流防止器は使用しない状態にある。その間は予備用逆流防止器の吸込み側の１次側仕切り弁と吐出側の２次側仕切り弁は閉じた状態にあるから、予備用逆流防止器内に滞留している水の水質が悪化する可能性が高く、主逆流防止器の点検時に予備用逆流防止器を通して給水するため、水質の悪化した水を需要場所に送ることになり、非常に不衛生である。また、このような逆流防止器には滞留水を排水するドレン口が設けられていないのが現状であり、滞留している水の供給を防止するためには、予備用逆流防止器を一度配管から取り外して内部の水を抜くしかなく、手間がかかってしまう。
【０００５】
本発明は上述の点に鑑みてなされたもので、主逆流防止器と予備用逆流防止器を並列に設置した構成の給水装置で予備用逆流防止器内に滞留している不衛生な水を需要場所に給水しないようにした給水装置、予備用逆流防止器内洗浄方法、逆流防止器切替え方法を提供することを目的とする。
【課題を解決するための手段】
【０００６】
上記課題を解決するため本願発明は、主逆流防止器、及び予備用逆流防止器を備え、吸込み口に流入した水を主逆流防止器又は予備用逆流防止器を経てポンプに導き、該ポンプで加圧し、吐出し口から給水目的位置に給水可能に構成された給水装置であって、予備用逆流防止器の吸込み口側には１次側仕切り弁が、吐出し口側には２次側仕切り弁がそれぞれ設けられており、予備用逆流防止器の本体と２次側仕切り弁の間の所定の位置に予備用逆流防止器内に滞留する水を排水する排水口と該排水口を開閉する排水口開閉手段を設けたことを特徴とする。
【０００７】
また、本願発明は上記給水装置において、排水口は、２次側仕切り弁の吸込み口側の底部に設けたことを特徴とする。
【０００８】
また、本願発明は、上記給水装置において、排水口開閉手段は電磁弁又は電動弁であり、制御盤から操作できるようになっている。
【０００９】
また、本願発明は、上記給水装置の予備用逆流防止器内洗浄方法であって、排水口開閉手段で排水口を開放し、予備用逆流防止器の２次側仕切り弁を閉じた状態で、１次側仕切り弁を開いて該予備用逆流防止器に通水して洗浄する。
【００１０】
また、本願発明は、吸込み口側には１次側仕切り弁が、吐出し口側には２次側仕切り弁をそれぞれ設けた主逆流防止器、及び予備用逆流防止器を備え、吸込み口に流入した水を主逆流防止器又は予備用逆流防止器を経てポンプに導き、該ポンプで加圧し、吐出し口から給水目的位置に給水可能に構成された給水装置の主逆流防止器と予備用逆流防止器を切替える逆流防止器切替え方法であって、予備用逆流防止器に滞留する水を排水する排水口を開放し、予備用逆流防止器の２次側仕切り弁を閉じた状態で、１次側仕切り弁を開いて該予備用逆流防止器に通水して内部を洗浄してから、予備用逆流防止器の２次側仕切り弁を開く操作を行った後、主逆流防止器の１次側仕切り弁及び２次側仕切り弁を閉じることを特徴とする。
【発明の効果】
【００１１】
本願発明に係る給水装置によれば、予備用逆流防止器の吸込み口側には１次側仕切り弁が、吐出し口側には２次側仕切り弁がそれぞれ設けられており、予備用逆流防止器の本体と２次側仕切り弁の間の所定の位置に予備用逆流防止器内に滞留する水を排水する排水口と該排水口を開閉する排水口開閉手段を設けたので、主逆流防止器の点検時等予備用逆流防止器を通して需要場所に給水する場合、予め排水口開閉手段で排水口を開けて予備用逆流防止器内に滞留する水を排水し、更に吸込み口側の１次仕切り弁を開いて予備用逆流防止器に通水して内部を洗浄してから給水することにより、需要場所に水質の悪化した水が供給されることを防止できる。特に予備用逆流防止器の本体と２次側仕切り弁の間の所定の位置に排水口を設けることにより、予備用逆流防止器の内部の略全領域を洗浄でき、該略全領域の洗浄が終了した後に需要場所に給水することにより、需要場所に水質の悪化した水が供給されることを完全に防止できるのである。
【００１２】
また、排水口開閉手段を電磁弁又は電動弁とし、制御盤から操作できるようにすることにより、制御盤から操作で予備用逆流防止器内の滞留水の排水及び洗浄作業が容易に実施できる。
【００１３】
本願発明に係る給水装置の予備用逆流防止器内洗浄方法によれば、排水口開閉手段で排水口を開放し、予備用逆流防止器の２次側仕切り弁を閉じた状態で、１次側仕切り弁を開いて該予備用逆流防止器に通水して洗浄するから、需要場所に水質の悪化した水が給水されることがない。
【００１４】
また、本願発明に係る給水装置の主逆流防止器点検方法によれば、予備用逆流防止器に設けられた排水口を開放し、予備用逆流防止器の２次側仕切り弁を閉じた状態で、１次側仕切り弁を開いて該予備用逆流防止器に通水して洗浄してから、予備用逆流防止器の２次側仕切り弁を開く操作を行った後、主逆流防止器の１次側仕切り弁及び２次側仕切り弁を閉じるので、需要場所に水質の悪化した水が給水されることがない。
【発明を実施するための最良の形態】
【００１５】
以下、本願発明の実施の形態例を図面に基づいて説明する。図１は本願発明に係る給水装置の吸込側の配管及び機器の構成例を示す図である。１４は主逆流防止器、１５は予備用逆流防止器である。主逆流防止器１４の吸込み側（１次側）には１次側仕切り弁２６が設けられ、吐出し側（２次側）には２次側仕切り弁２７が設けられている。また、予備用逆流防止器１５の吸込み側（１次側）には１次側仕切り弁２８が設けられ、吐出し側（２次側）には２次側仕切り弁２９が設けられている。また、主逆流防止器１４、予備用逆流防止器１５には、空気抜き、及び動作テストのためのテストコックが備えられている。
【００１６】
１３は吸込み分岐管であり、一端に吸込み口１２が設けられ、他端が二つに分岐し、一方が１次側仕切り弁２６の吸込み口に他方が接続管４５を介して１次側仕切り弁２８の吸込み口に接続されている。また、２次側仕切り弁２７の吐出し口は吸込み合流管１６に接続され、２次側仕切り弁２９の吐出し口は接続管４３を介して吸込み合流管１６に接続されている。なお、４１は１次側仕切り弁２６の吸込み口の水圧を検出する圧力センサである。
【００１７】
上記構成の給水装置の吸込側の配管及び機器において、吸込み分岐管１３の吸込み口１２は水道本管（図示せず）に接続されている。通常は主逆流防止器１４の１次側仕切り弁２６及び２次側仕切り弁２７が開いており、予備用逆流防止器１５の１次側仕切り弁２８及び２次側仕切り弁２９は閉じている。そして吸込み分岐管１３の吸込み口１２から流入した水は、１次側仕切り弁２６、主逆流防止器１４、２次側仕切り弁２７、吸込み合流管１６等を通って、図示しない（後に詳述）するポンプで加圧され、需要場所に給水する。そして、主逆流防止器１４の点検時は、予備用逆流防止器１５の１次側仕切り弁２８及び２次側仕切り弁２９を開いて、予備用逆流防止器１５に切替えて給水し、主逆流防止器１４の１次側仕切り弁２６及び２次側仕切り弁２７を閉じる。これにより主逆流防止器１４の点検時も断水することなく、需要場所に給水することができるようになっている。
【００１８】
上記のように主逆流防止器１４の定期的点検は、例えば年１回程度であり、予備用逆流防止器１５はその間使用していないから、内部に滞留する水の水質が悪化している。主逆流防止器１４の点検時、上記のように１次側仕切り弁２８及び２次側仕切り弁２９を開いて予備用逆流防止器１５を通して給水した場合、給水始め予備用逆流防止器１５内の水質が悪化した水が需要場所に給水されることになる。そこで本実施形態例では、２次側仕切り弁２９の入り口側側壁底部に予備用逆流防止器１５の内部に滞留する水を排水する排水口４８を設け、該排水口４８に栓４９を取付け、その開口を閉塞している。図２は２次側仕切り弁２９の断面図である。図示するように、流入口２９ｃ、流出口２９ｄを有する仕切り弁ボディ２９ａの底部部に排水口４８を設け、その開口を栓４９で閉塞、開放するようにしている。なお、図２において２９ｅは弁体である。
【００１９】
主逆流防止器１４の点検時に予備用逆流防止器１５を通して給水する場合、栓４９を抜いて排水口４８の開口を開放することにより、予備用逆流防止器１５の内部に滞留する水を後述するドレンパンに排水する。更に１次側仕切り弁２８を開き、吸込み分岐管１３内の水を予備用逆流防止器１５内に通水し、内部を洗浄する。洗浄した水は後述するドレンパンに排水する。その後、予備用逆流防止器１５の１次側仕切り弁２８及び２次側仕切り弁２９を開いて、主逆流防止器１４の１次側仕切り弁２６及び２次側仕切り弁２７を閉じ、予備用逆流防止器１５を通して需要場所に給水する。これにより、水質の悪化した水が需要場所に給水されることがなくなる。なお、上記例では、排水口４８の開口を栓４９で閉塞、開放するようにしているが、図３に示すように、排水口４８に電磁弁５０を設け、該電磁弁５０で開口を開閉するようにしてもよい。
【００２０】
また、図４に示すように、排水口４８を電磁弁５０で開閉できるようにすると共に、１次側仕切り弁２８を電磁式の１次側仕切り弁２８’とする。そして図示しない制御盤に電磁弁５０及び１次側仕切り弁２８’の開閉動作を行うスイッチを設け、該スイッチを「ＯＮ」にすることにより、電磁弁５０、１次側仕切り弁２８’の順で「開」、「ＯＦＦ」にすることにより１次側仕切り弁２８’、電磁弁５０の順で「閉」となるよう設定する。これにより、予備用逆流防止器１５内に滞留する水の排水及び内部の洗浄がワンタッチで可能となる。ここでは電磁弁を用いたが、電動弁でもよい。なお、上記例では２次側仕切り弁２９の仕切り弁ボディ２９ａの底部部に排水口４８を設けているが、排水口４８の設ける位置はこれに限定されるものではなく、予備用逆流防止器１５の本体（図示はしないが、予備用逆流防止器１５内部の弁機構のある部分）と２次側仕切り弁２９の間で、予備用逆流防止器１５内に滞留する水の排水できる位置であれば、どこでもよく、例えば予備用逆流防止器１５の出口部分の底部に排水口４８を設けても良い。
【００２１】
図５乃至図９は、吸込側の配管及び機器を備えた本発明に係る給水装置の構成例を示す図で、図５は平面図、図６は左側面図、図７は正面図、図８は右側面図、図９は背面図である。図示するように本給水装置１は、ベース１０に固定された架台１１上に吸込み分岐管１３、主逆流防止器１４、予備用逆流防止装置１５、吸込み合流管１６、ポンプＰ１，Ｐ２，Ｐ３、モータＭ１，Ｍ２，Ｍ３、吐出しヘッダ１７、吐出し曲管１８、吐出し合流管１９、圧力タンク２１等が搭載された構成である。また、架台１１の内部には、ドレンパン４７が搭載されている。吸込み分岐管１３、主逆流防止器１４、１次側仕切り弁２６、２次側仕切り弁２７、吸込み合流管１６等を接続した組立体はその両端を支持板２２、支持板２３で架台１１上に固定し、該支持板２２と架台１１の間と該支持板２３と架台１１の間にはそれぞれゴム材及びバネ材等で構成された防振部材２４、２５を介装している。
【００２２】
吸込み合流管１６の流出口には、吸込みヘッダＨ１、Ｈ２、Ｈ３が順に接続され、吸込みヘッダＨ３の流出口には逆流防止弁３０が接続されている。吸込みヘッダＨ１、Ｈ２、Ｈ３にはそれぞれ２つの流出口が設けられ、内部に切替え弁が設けられ２つの流出口が開いている場合と、ポンプ吸込み口に接続される流出口を閉じて、他方の流出口を開いている場合の２パターンに切替え可能になっている。吸込みヘッダＨ１、Ｈ２、Ｈ３の一方の流出口はポンプＰ１、Ｐ２、Ｐ３の吸込み口が接続され、他方の流出口は吸込みヘッダＨ１の場合は吸込みヘッダＨ２の流入口に、吸込みヘッダＨ２の場合は吸込みヘッダＨ３の流入口に、吸込みヘッダＨ３の場合は逆流防止弁３０の流入口に接続される。ポンプＰ１、Ｐ２、Ｐ３の吐出口にはそれぞれ吐出し管３１、３２、３３の一端が接続され、各吐出し管３１、３２、３３の他端はそれぞれボールチェッキ弁Ｂ１、Ｂ２、Ｂ３を介して吐出しヘッダ１７に接続されている。また、各吐出し管３１、３２、３３には、それぞれフロースイッチ３４、３５、３６が設けられている。
【００２３】
吐出しヘッダ１７の一端は閉止フランジ３７で閉じられ、他端は吐出し曲管１８の一端（流入口）に接続されている。吐出し曲管１８は所定の形状に曲げられた配管で一端が流入口、他端が流出口となっている。該吐出し曲管１８の流出口は吐出し合流管１９の一方の流入口に接続されている。また、吐出し合流管１９の他方の流入口は上記逆流防止弁３０の流出口に接続されている。なお、ポンプＰ１、Ｐ２、Ｐ３を駆動するモータＭ１、Ｍ２、Ｍ３はそれぞれポンプＰ１、Ｐ２、Ｐ３のケーシング上に搭載されている。
【００２４】
吸込みヘッダＨ１とポンプＰ１とモータＭ１等の組立て体、吸込みヘッダＨ２とポンプＰ２とモータＭ２等の組立て体、及び吸込みヘッダＨ３とポンプＰ３とモータＭ３等の組立て体はそれぞれゴム材及びバネ材等で構成される防振部材３８、３９、４０を介して架台１１に搭載されている。吐出しヘッダ１７には吐出し側の水圧を検出する圧力センサ４２が設けられている。また、圧力タンク２１は接続管４４を介して吐出し合流管１９に接続されている。上記構成の給水装置１は、全体が図７に示すようにキャビネット１００内に収容配置され、キャビネット１００の左側面に吸込み口１２及び吐出し口２０が配置されている。また、図示は省略するが、キャビネット１００内には、モータＭ１〜Ｍ３等に電力を供給するインバータ装置（電源装置）、モータＭ１〜Ｍ３を含む各機器を制御する制御装置等も収納される。
【００２５】
給水装置１の吸込み口１２は上記のように水道本管に接続されており、通常の場合、予備用逆流防止器１５の１次側仕切り弁２８、及び２次側仕切り弁２９は閉じ、主逆流防止器１４の１次側仕切り弁２６、２次側仕切り弁２７が開いている。吸込み口１２に流入した水は吸込み分岐管１３、１次側仕切り弁２６、主逆流防止器１４、２次側仕切り弁２７、吸込み合流管１６を通って吸込みヘッダＨ１、Ｈ２、Ｈ３へと流れ込む。３台のポンプＰ１、Ｐ２、Ｐ３のうちいずれか、例えばポンプＰ１の運転により、吸込みヘッダＨ１からポンプＰ１に吸い込まれた水は、加圧され、吐出し管３１、ボールチェッキ弁Ｂ１を通って、吐出しヘッダ１７へ流れ込む。該吐出しヘッダ１７へ流れ込んだ水は、吐出し曲管１８、吐出し合流管１９を通って吐出し口２０から需要場所に給水される。
【００２６】
吐出しヘッダ１７の水圧は圧力センサ４２で監視され、吐出し圧力が所定値より低い場合は、先発ポンプ、例えばポンプＰ１が始動し、先発ポンプＰ１の回転数が最大になると、２台目のポンプ、例えばポンプＰ２を追加運転することにより、吸込みヘッダＨ２からポンプＰ２に吸い込まれた水は、加圧され、吐出し管３２、ボールチェッキ弁Ｂ２を通って、吐出しヘッダ１７へ流れ込む。
【００２７】
吸込み分岐管１３の水圧、即ち水道本管の圧力は、圧力センサ４１で監視されており、水道本管の水圧が十分高く、所定の圧力値を超えている場合は、ポンプＰ１、Ｐ２、Ｐ３で加圧することなく給水できる。この場合は吸込み口１２から流入する水を１次側仕切り弁２６、主逆流防止器１４、２次側仕切り弁２７、吸込み合流管１６、吸込みヘッダＨ１、Ｈ２、Ｈ３、及び逆流防止弁３０を通して直接吐出し合流管１９に送り、吐出し口２０から需要場所に給水する。ここで逆流防止弁３０はポンプＰ１、Ｐ２、Ｐ３の運転時、吐出しヘッダ１７から吐出された水が吸込みヘッダＨ３、Ｈ２、Ｈ１に流れるのを阻止し、水道本管の水圧が高い場合はそのまま吐出し合流管１９に流す作用をする。
【００２８】
主逆流防止器１４の点検をする場合は、上記のように１次側仕切り弁２６及び２次側仕切り弁２７を閉じ、１次側仕切り弁２８及び２次側仕切り弁２９を開いて、吸込み口１２に流入した水を予備用逆流防止器１５を通して、吸込み合流管１６に送るようにして行う。また、ポンプＰ１、Ｐ２、Ｐ３のメンテナンスの場合は吸込みヘッダＨ１、Ｈ２、Ｈ３内の切替え弁でポンプＰ１、Ｐ２、Ｐ３側の流出口を閉じ、他方の流出口を開いている状態に切り替えて行う。
【００２９】
上記のように主逆流防止器１４は通常時に使用し、予備用逆流防止器１５は主逆流防止器１４の点検時等に使用される。ドレンパン４７は主逆流防止器１４及び予備用逆流防止器１５が作動した場合に流出する水、及び排水口４８から排水される予備用逆流防止器１５内に滞留している水、内部を洗浄した水を受ける。また、圧力タンク２１は接続管４４を介して吐出し合流管１９に接続され、ポンプＰ１、Ｐ２、Ｐ３で加圧された加圧水を蓄圧することでポンプＰ１、Ｐ２、Ｐ３の頻繁な起動停止を防止し、且つ給水装置１の給水圧力を円滑に一定に保つ作用をする。
【００３０】
図１に示す給水装置の吸込側の配管及び機器において、主逆流防止器１４から予備用逆流防止器１５への切り換え下記（１）〜（６）の手順でおこなう。
（１）予備用逆流防止器１５の３つのテストコックを全て開け、２次側仕切り弁２９の排水口４８の栓を外して開口を開放する。
（２）予備用逆流防止器１５の１次側仕切り弁（ストレーナ付ボールバルブ）２８をゆっくり開けて、該予備用逆流防止器１５の内部の水を排水口４８から十分に排水する。
（３）十分な排水を確認後、１次側仕切り弁２８を閉じ、排水口４８に栓４９を確実に取り付け、開口を栓４９で確実に閉塞する。
（４）１次側仕切り弁２８をゆっくり開けて、３つのテストコックから空気を十分に抜いて、予備用逆流防止器１５内を水で充分に満たす。予備用逆流防止器１５内が水で充分満たされた後、テストコックを閉じて、１次側仕切り弁２８を全開にする。次に２次側仕切り弁２９をゆっくりと全開にする。
（５）主逆流防止器１４の２次側仕切り弁（ボール止水栓）２７、１次側仕切り弁（ストレーナ付ボールバルブ）２６の順にゆっくり閉じる。
（６）主逆流防止器１４の３つのテストコックを全て開けて、該主逆流防止器１４内の水を排水する。
【００３１】
予備用逆流防止器１５から主逆流防止器１４への切替えは下記（１）〜（４）の手順で行う。
（１）主逆流防止器１４の３つのテストコックが全て開いていることを確認し、１次側仕切り弁２６をゆっくりと開け、３つのテストコックから空気を十分に抜いて、主逆流防止器１４内を充分水で満たす。内部を充分水で満たした後、テストコックを閉じる。
（２）２次側仕切り弁２７をゆっくり全開とする。
（３）１次側仕切り弁２８、２次側仕切り弁２９の順にゆっくり閉じる。
（４）予備用逆流防止器１５の３つのテストコックを全て開けて、予備用逆流防止器１５内の水を排水する。排水口４８の栓４９を外し、内部の水を排水してから、再び栓４９を取り付け、開口を閉塞する。
【００３２】
なお、上述の例では予備用逆流防止器１５にのみ排水口４８を設けたが、主逆流防止器の方にも排水口を設けても良い。この場合は、主逆流防止器を交換したときの内部の洗浄用として用いることができる。また、上述の例ではポンプと一体としてキャビネット１００内に収容配置された逆流防止器について述べたが、本発明の逆流防止器はこのような状態にのみ適用されるものではなく、例えば、ポンプ等とは一体で配置されていない給水配管の途中、水道管等にも適用することができる。
【００３３】
以上、本発明の実施形態を説明したが、本発明は上記実施形態に限定されるものではなく、特許請求の範囲、及び明細書と図面に記載された技術的思想の範囲内において種々の変形が可能である。また、直接明細書及び図面に記載のない何れの形状、構造であっても、本願発明の作用及び効果を奏する以上、本願発明の技術的思想の範囲内である。
【図面の簡単な説明】
【００３４】
【図１】本願発明に係る給水装置の吸込側の配管及び機器の構成例を示す図である。
【図２】２次側仕切り弁の構成を示す断面図である。
【図３】２次側仕切り弁の構成を示す断面図である。
【図４】本願発明に係る給水装置の吸込側の配管及び機器の他の構成例を示す図である。
【図５】本発明に係る給水装置の構成例を示す平面図である。
【図６】本発明に係る給水装置の構成例を示す左側面図である。
【図７】本発明に係る給水装置の構成例を示す正面図である。
【図８】本発明に係る給水装置の構成例を示す右側面図である。
【図９】本発明に係る給水装置の構成例を示す背面図である。
【符号の説明】
【００３５】
１    給水装置
１０    ベース
１１    架台
１２    吸込み口
１３    吸込み分岐管
１４    主逆流防止器
１５    予備用逆流防止器
１６    吸込み合流管
１７    吐出しヘッダ
１８    吐出し曲管
１９    吐出し合流管
２０    吐出し口
２１    圧力タンク
２２    支持板
２３    支持板
２４    防振部材
２５    防振部材
２６    １次側仕切り弁
２７    ２次側仕切り弁
２８    １次側仕切り弁
２８’  １次側仕切り弁
２９    ２次側仕切り弁
３０    逆流防止弁
３１    吐出し管
３２    吐出し管
３３    吐出し管
３４    フロースイッチ
３５    フロースイッチ
３６    フロースイッチ
３７    閉止フランジ
３８    防振部材
３９    防振部材
４０    防振部材
４１    圧力センサ
４２    圧力センサ
４３    接続管
４５    接続管
４７    ドレンパン
４８    排水口
４９    栓
５０    電磁弁
Ｈ１    吸込みヘッダ
Ｈ２    吸込みヘッダ
Ｈ３    吸込みヘッダ
Ｍ１    モータ
Ｍ２    モータ
Ｍ３    モータ
Ｐ１    ポンプ
Ｐ２    ポンプ
Ｐ３    ポンプ
１００    キャビネット
【図１】
0005189797.tif 000002
【図２】
0005189797.tif 000003
【図３】
0005189797.tif 000004
【図４】
0005189797.tif 000005
【図５】
0005189797.tif 000006
【図６】
0005189797.tif 000007
【図７】
0005189797.tif 000008
【図８】
0005189797.tif 000009
【図９】
0005189797.tif 000010